(57)【要約】【課題】  補綴物の取り付け及び取り外しがし易く、補綴物が密着した状態で装着できるようにした、補綴物をインプラントに磁着するアバットメント及びその製造方法を提供する。【解決手段】  磁性アバットメント１は、インプラント２に取り付けられるアバットメント本体１０と、アバットメント本体１０の上部に設けられる磁性体１１を備えており、アバットメント本体１０は、歯肉５１より突出する部分となる上部側が上方向に向かって窄まる形状を有するよう構成されている。【選択図】        図３
2007075532.tif 000002
【特許請求の範囲】
【請求項１】
補綴物をインプラントに固定するアバットメントであって、
インプラントに取り付けられるアバットメント本体と、
上記アバットメント本体の上部に設けられる磁石または磁性体と、
を備えており、
上記アバットメント本体は、
歯肉より突出する部分となる上部側が上方向に向かって窄まる形状を有するよう構成されていることを特徴とする、
アバットメント。
【請求項２】
補綴物をインプラントに固定するアバットメントであって、
インプラントに取り付けられるアバットメント本体と、
上記アバットメント本体の上部に設けられる磁石または磁性体と、
を備えており、
上記アバットメント本体は、
歯肉より突出する部分となる上部側が上方向に向かって窄まる形状を有し、インプラントが斜めに埋設されている場合でも磁石または磁性体の上面が水平または実質的に水平になるよう構成されていることを特徴とする、
アバットメント。
【請求項３】
補綴物をインプラントに固定するアバットメントの製造方法であって、
患者の口腔内から採取された印象型から歯肉より突出する部分となる上部側が上方向に向かって窄まる形状を有するアバットメント形状をつくり出し、金属塊から当該アバットメント形状と同形状を有するアバットメント本体を削り出して製造することを特徴とする、
アバットメントの製造方法。
【請求項４】
補綴物をインプラントに固定するアバットメントの製造方法であって、
患者の口腔内から採取された印象型から歯肉より突出する部分となる上部側が上方向に向かって窄まる形状を有し、インプラントが斜めに埋設されている場合でも磁石または磁性体の上面が水平または実質的に水平になるよう設けられるアバットメント形状をつくり出し、金属塊から当該アバットメント形状と同形状を有するアバットメント本体を削り出して製造することを特徴とする、
アバットメントの製造方法。
【請求項５】
補綴物をインプラントに固定するアバットメントの製造方法であって、
患者の口腔内から採取された印象型から歯肉より突出する部分となる上部側が上方向に向かって窄まる形状を有し、インプラントが斜めに埋設されている場合でも磁石または磁性体の上面が水平または実質的に水平になるよう設けられるアバットメント形状のロウ型をつくり出し、当該ロウ型の形状を計測して金属塊から上記ロウ型と同形状を有するアバットメント本体を削り出して製造することを特徴とする、
アバットメントの製造方法。
【請求項６】
コンピュータ制御による設計・生産システムを使用して製造することを特徴とする、
請求項３，４または５記載のアバットメントの製造方法。
【請求項７】
ＣＡＤ／ＣＡＭシステムを使用して製造することを特徴とする、
請求項３，４または５記載のアバットメントの製造方法。
【発明の詳細な説明】
【技術分野】
【０００１】
本発明は、補綴物をインプラントに磁着するアバットメント及びその製造方法に関する。更に詳しくは、義歯等の補綴物が、顎骨等に埋設されたインプラントに着脱可能に装着できるようにするアバットメントにおいて、アバットメント本体の歯肉より突出する部分となる上部側が上方向に向かって窄まる形状を有するよう形成することで、補綴物の取り付け及び取り外しがし易く、補綴物が密着した状態で装着できるようにしたものに関する。
【背景技術】
【０００２】
従来から顎骨等に埋設したインプラントに、磁性体（キーパー）を設けたアバットメントを固定し、義歯に備えてある磁石が上記した磁性体に磁着することで、義歯をインプラントに着脱可能に装着する技術が開発されている。このときに使用されるアバットメントとしては、例えば、特許文献１に開示されたものがある。
【０００３】
特許文献１には、上部に凹状のポケット９０が形成してあり、このポケット９０に磁性体９１が嵌合してある略円柱形状のアバットメント９（特許文献１には「歯科磁性部材用ホルダー」という名称で記載されている）が開示されている。このアバットメント９では、ポケット９０と磁性体９１の互いに当接する面が回動自在の球形状を有するよう形成されている。従って、このアバットメント９によれば、インプラント８が顎骨等に対し斜め方向に埋設されている場合でも、磁性体９１をポケット９０の内面に沿わせて動かし、上面を略水平な状態に調整することができる。これによりインプラント８に力が偏ってかからないようにできる。
【０００４】
【特許文献１】特開１１−２４４３０８号公報
【発明の開示】
【発明が解決しようとする課題】
【０００５】
しかし、上記したアバットメント９には、次のような課題があった。
上記したアバットメント９によれば、磁性体９１をポケット９０の内面に沿わせて動かし、上面を略水平な状態にしてインプラント８に力が偏ってかからないようにできる。しかし、ポケット９０が形成してあるアバットメント本体は、略円柱形状を有しており、インプラント８の軸線方向と同方向に延長するよう固定されるので、インプラント８が傾いている場合では、同じように斜めに傾いた状態で取り付けられてしまう。従って、図４に示すように隣り合うインプラント８，８が向き合うよう傾いて埋設されている場合では、その間の部分にアバットメント９によって義歯のレジンが引っ掛かる引掛部が形成されてしまい、義歯の取り付け及び取り外しがし難いことがあった。
【０００６】
また、図４に示すようにインプラント８，８が傾いている場合では、義歯の磁石と磁性体９１とが密着していないことがあり、その間に隙間が形成されるので、想定した磁着力が得られず義歯が外れ易いという課題もあった。
更に、義歯の磁石と磁性体９１とが密着していない場合では、上記した隙間に汚れやゴミが溜まるという課題もあった。
【０００７】
本発明の目的は、義歯等の補綴物が、顎骨に埋設されたインプラントに着脱可能に装着できるようにするアバットメントにおいて、アバットメント本体の歯肉より突出する部分となる上部側が上方向に向かって窄まる形状を有するよう形成することで、補綴物の取り付け及び取り外しがし易く、補綴物が密着した状態で装着できるようにするアバットメント及びその製造方法を提供することにある。
【課題を解決するための手段】
【０００８】
上記目的を達成するために本発明が講じた手段は次のとおりである。
第１の発明にあっては、
補綴物をインプラントに固定するアバットメントであって、
インプラントに取り付けられるアバットメント本体と、
上記アバットメント本体の上部に設けられる磁石または磁性体と、
を備えており、
上記アバットメント本体は、
歯肉より突出する部分となる上部側が上方向に向かって窄まる形状を有するよう構成されていることを特徴とする、
アバットメントである。
【０００９】
第２の発明にあっては、
補綴物をインプラントに固定するアバットメントであって、
インプラントに取り付けられるアバットメント本体と、
上記アバットメント本体の上部に設けられる磁石または磁性体と、
を備えており、
上記アバットメント本体は、
歯肉より突出する部分となる上部側が上方向に向かって窄まる形状を有し、インプラントが斜めに埋設されている場合でも磁石または磁性体の上面が水平または実質的に水平になるよう構成されていることを特徴とする、
アバットメントである。
【００１０】
第３の発明にあっては、
補綴物をインプラントに固定するアバットメントの製造方法であって、
患者の口腔内から採取された印象型から歯肉より突出する部分となる上部側が上方向に向かって窄まる形状を有するアバットメント形状をつくり出し、金属塊から当該アバットメント形状と同形状を有するアバットメント本体を削り出して製造することを特徴とする、
アバットメントの製造方法である。
【００１１】
第４の発明にあっては、
補綴物をインプラントに固定するアバットメントの製造方法であって、
患者の口腔内から採取された印象型から歯肉より突出する部分となる上部側が上方向に向かって窄まる形状を有し、インプラントが斜めに埋設されている場合でも磁石または磁性体の上面が水平または実質的に水平になるよう設けられるアバットメント形状をつくり出し、金属塊から当該アバットメント形状と同形状を有するアバットメント本体を削り出して製造することを特徴とする、
アバットメントの製造方法である。
【００１２】
第５の発明にあっては、
補綴物をインプラントに固定するアバットメントの製造方法であって、
患者の口腔内から採取された印象型から歯肉より突出する部分となる上部側が上方向に向かって窄まる形状を有し、インプラントが斜めに埋設されている場合でも磁石または磁性体の上面が水平または実質的に水平になるよう設けられるアバットメント形状のロウ型をつくり出し、当該ロウ型の形状を計測して金属塊から上記ロウ型と同形状を有するアバットメント本体を削り出して製造することを特徴とする、
アバットメントの製造方法である。
【００１３】
第６の発明にあっては、
コンピュータ制御による設計・生産システムを使用して製造することを特徴とする、
第３，第４または第５の発明に係るアバットメントの製造方法である。
【００１４】
第７の発明にあっては、
ＣＡＤ／ＣＡＭシステムを使用して製造することを特徴とする、
第３，第４または第５の発明に係るアバットメントの製造方法である。
【００１５】
（作  用）
本発明に係るアバットメントの製造方法を説明する。
まず、アバットメントの製造にあたって、患者の口腔内の印象型を採取する。印象型の採取は、既にインプラントが埋設された患者に対して行われる。印象型は、石膏で形成したり、特殊なカメラで撮影したりすることによって採取される。カメラで撮影した場合はデータがコンピュータに入力される。
【００１６】
次に、採取した印象型から、歯肉より突出する部分となる上部側が上方向に向かって窄まる形状を有するか、歯肉より突出する部分となる上部側が上方向に向かって窄まる形状を有し、インプラントが斜めに埋設されている場合でも磁石または磁性体の上面が水平または実質的に水平になるよう設けられるアバットメント形状をつくり出す。このアバットメント形状は、印象型の形状を計測してデータを入力することでコンピュータ上でモデルをつくり上げることもできるし、印象型に対しロウ型を設けることでつくり上げることもできる。アバットメント形状をロウ型でつくった場合では、当該ロウ型の形状を計測する。ロウ型の計測はレーザー等を使用することによりデータがコンピュータに入力される。
【００１７】
そして、つくり上げたアバットメント形状と同形状を有するものが形成されるよう、金属塊から削り出してアバットメント本体を製造する。
【発明の効果】
【００１８】
本発明は上記構成を備え、次の効果を有する。
（ａ）本発明によれば、アバットメント本体が、歯肉より突出する部分となる上部側が上方向に向かって窄まる形状を有するか、歯肉より突出する部分となる上部側が上方向に向かって窄まる形状を有し、インプラントが斜めに埋設されている場合でも磁石または磁性体の上面が水平または実質的に水平になるよう構成されている。従って、例えば、隣り合うインプラントが向き合うよう傾いて埋設されている場合でも、従来のもののようにその間に義歯等の補綴物が引っ掛かる部分が形成されない。これによりアバットメントでは、補綴物の取り付け及び取り外しがし易い。
【００１９】
（ｂ）また、本発明によれば、アバットメント本体が上記した形状に形成できるので、インプラントが傾いている場合でも、補綴物を磁石または磁性体に密着させることができる。従って、補綴物は予め想定した磁着力を得ることができ外れ難い。
更に、補綴物を磁石または磁性体に密着させることができるので、補綴物とアバットメントの間に汚れやゴミも溜まり難い。
【発明を実施するための最良の形態】
【００２０】
本発明の実施の形態を図面に基づき更に詳細に説明する。
図１は本発明に係る磁性アバットメントの一実施の形態を示しており、インプラントに取り付ける状態を示す分解斜視説明図、
図２は図１に示す磁性アバットメントを下顎に埋設されたインプラントに取り付けた状態を示す使用状態説明図、
図３は図２に示す磁性アバットメントに義歯を磁石によって取り付ける状態を示す分解説明図である。
【００２１】
符号１はアバットメントである磁性アバットメントを示している。磁性アバットメント１は、アバットメント本体１０と、平面視において円形状を有する磁性体（キーパー）１１を備えている。磁性体１１は磁性金属で形成されている。磁性体１１は磁石が磁着する性質を有している。磁性アバットメント１は、固定ボルト３によってインプラント２に取り付けられる。
【００２２】
アバットメント本体１０は、上部側が上方向に向かって窄まる略截頭円錐形状を有し、下部側が下側に向かって窄まる略截頭円錐形状を有するよう形成してあり、その境界部に角部１００が表れるよう形成されている。アバットメント本体１０は、インプラント２に取り付けたときに、上方向に向かって窄まる上部側が歯肉５１より突出した状態となり、下側に向かって窄まる下部側が歯肉５１に埋め込まれた状態となるよう、患者毎に適した形状を有するよう形成してある。従って、同じ患者でも複数のインプラントを有していれば、アバットメント本体１０の形状はそれぞれ異なる。
【００２３】
アバットメント本体１０の上部には、所要の径を有する平らな平面１０１が形成してある。また、この平面１０１には磁性体１１を埋め込んで設けるための嵌合凹部１０２が形成してある。嵌合凹部１０２は平面視において円形状を有しており、磁性体１１を埋め込んだときに隙間が形成されない大きさに形成してある。磁性体１１は、所要の厚み（高さ）を有しており、上下面が平面状に形成してある。
【００２４】
嵌合凹部１０２の底部にあたるアバットメント本体１０の内部には、固定ボルト係合孔１０３が形成してある。固定ボルト係合孔１０３は、磁性体１１の上面が略水平な状態でインプラント２に取り付けられるよう中心軸方向がインプラント２の傾斜した軸線方向に向かって形成してある。固定ボルト係合孔１０３は、固定ボルト３の頭部３０よりやや径大な大きさを有するよう形成してある。
【００２５】
固定ボルト係合孔１０３の底部にあたるアバットメント本体１０の内部には、固定ボルト３のネジ部３１が挿通する固定ボルト挿通孔１０４が形成してある。固定ボルト挿通孔１０４も、磁性体１１の上面が略水平な状態でインプラント２に取り付けられるよう中心軸方向がインプラント２の傾斜した軸線方向に向かって形成してある。固定ボルト挿通孔１０４は、固定ボルト３のネジ部３１よりやや径大な大きさを有するよう形成してある。
【００２６】
インプラント２と接するアバットメント本体１０の下部には、インプラント２の上面に突設してある係合凸部（後述）と嵌合して、アバットメント本体１０がインプラント２に対して回らないよう設けることができるようにする係合凹部１０５が形成してある。係合凹部１０５は六角形状を有するよう形成してある。上記した固定ボルト挿通孔１０４の下部は係合凹部１０５と連通している。
【００２７】
アバットメント本体１０は、純チタンの塊を削り出すことにより形成されている。なお、アバットメント本体１０はチタン合金を使用することもできる。アバットメント本体１０の製造方法については後で詳述する。
【００２８】
次に、インプラント２について簡単に説明する。
インプラント２は、純チタン製の長さの短い略円柱形状のもので、歯肉５１を切り開いて顎骨等の骨５０に埋設穴５００を形成し、その埋設穴５００に埋め込んで骨５０と強固に密着させることによって取り付けられる。インプラント２は、図からも分かるように、取付位置や骨５０の状態によっては斜めに傾いた状態で取り付けられる。なお、インプラント２はチタン合金製のものを使用することもできる。
【００２９】
インプラント２の上面には、アバットメント本体１０の係合凹部１０５と隙間なく嵌合可能な係合凸部２０が突設してある。また、係合凸部２０の上面からインプラント２の内部にかけては、固定ボルト３のネジ部３１が螺合可能な固定ボルト螺合孔２１が所要深さを有するよう形成してある。
【００３０】
磁性アバットメント１は、アバットメント本体１０の係合凹部１０５とインプラント２の係合凸部２０とを嵌合させて、嵌合凹部１０２の底部に設けた固定ボルト係合孔１０３及び固定ボルト挿通孔１０４に固定ボルト３を通し、固定ボルト３の頭部３０が固定ボルト係合孔１０３の底部に当たって停止するまで、ネジ部３１を固定ボルト螺合孔２１にねじ込むことでインプラント２に取り付けられる。磁性体１１は、アバットメント本体１０がインプラント２に取り付けられた後に、嵌合凹部１０２内に接着剤１２を入れて接着される。磁性体１１は嵌合凹部１０２に取り付けられた状態で、上面が略水平な状態となる。
【００３１】
磁性アバットメント１と磁着する義歯４について簡単に説明する。
補綴物である義歯４は、セラミックス製の歯を形成する歯部（符号省略）と、レジン製の歯肉を形成する歯肉部４０とを組み合わせて形成してある。義歯４の裏側にあたる歯肉部４０の磁性アバットメント１と対応する箇所には、アバットメント本体１０が隙間なく嵌合する嵌合凹部４１が形成してある。この嵌合凹部４１の奥部には、磁性体１１に磁着する磁石４２が実質的に表面だけが表れるよう埋設してある。
【００３２】
なお、本実施の形態では、アバットメント本体１０側に磁性金属で形成された磁性体を設け、義歯４側に磁石４２を設けたが、これは逆でも良い。
【００３３】
本実施の形態でアバットメント本体１０は、上部側が上方向に向かって窄まる略截頭円錐形状を有し、下部側が下側に向かって窄まる略截頭円錐形状を有するよう形成したが、この形状は特に限定するものではなく、少なくとも歯肉５１より突出した状態となる上部側が、義歯４の着脱方向に対して略平行か、もしくは上方向に向かって内側に傾斜するよう窄まっていれば良い。
【００３４】
（作  用）
図１ないし図３を参照して、本実施の形態で示す磁性アバットメント１の製造方法及びその作用を説明する。
磁性アバットメント１を構成するアバットメント本体１０は、コンピュータ制御による設計・生産システムを使用して、次の手順で製造される。本実施の形態においてコンピュータ制御による設計・生産システムは、具体的にＣＡＤ／ＣＡＭシステム（Computer aided design/ Computer aided manufacturing milling）を使用する。
【００３５】
まず、患者の口腔内の印象型を採取する。印象型は、通常の型取りと同じように、硬化性の樹脂を口腔内に設けて樹脂型を取り、その樹脂型から石膏型を形成する。印象型の採取は、既にインプラント２が埋設された患者に対して行われる。
【００３６】
次に、採取した印象型から患者毎に適したアバットメント形状をデザインしてつくり出す。アバットメント形状は、印象型に対しロウを盛り上げて（ワックスアップ）、ロウ型を形成することでつくり上げられる。アバットメント形状は、アバットメント本体１０をインプラント２に取り付けたときに、上方向に向かって窄まる上部側が歯肉５１より突出した状態となり、下側に向かって窄まる下部側が歯肉５１に埋め込まれた状態となるよう、患者毎に形成してある。
【００３７】
上記工程にてつくったロウ型の形状を計測する。ロウ型の形状はレーザーを使って非接触状態で計測され、得られたデータはＣＡＤ／ＣＡＭシステムに入力される。
【００３８】
ＣＡＤ／ＣＡＭシステムにアバットメント形状のデータが入力されることにより、コンピュータのディスプレイ上にアバットメント形状が表示される。アバットメント形状に不具合があれば、適宜ディスプレイ上で修正可能である。
【００３９】
アバットメント形状が最終的に決まれば、ＣＡＤ／ＣＡＭシステムによりアバットメント形状と同じ形状を有するものがチタンの塊状物から削り出される。こうしてアバットメント本体１０が製造される。
【００４０】
このようにＣＡＤ／ＣＡＭシステムを使用することにより患者毎に適した形状を有するアバットメント本体１０を製造することができる。このアバットメント本体１０によれば、インプラント２が傾いて埋設されている場合でも、磁性体１１の上面が略水平な状態となるようにできる。また、アバットメント本体１０は、インプラント２に取り付けたときに、上部側が上方向に向かって窄まる歯肉５１より突出した状態となり、下部側が下側に向かって窄まる歯肉５１に埋め込まれた状態となるよう形成してあるので、図２に示すように隣り合うインプラント２，２が向き合うよう傾いて埋設されている場合でも、従来のもののようにその間に義歯の歯肉部４０が引っ掛かる部分が形成されない。従って、磁性アバットメント１では、義歯４の取り付け及び取り外しがし易い。
【００４１】
また、磁性アバットメント１では、アバットメント本体１０が上記した形状に形成できるので、インプラント２，２が傾いている場合でも、義歯４の磁石４２と磁性体１１とを密着させることができる。従って、義歯４は予め想定した磁着力を得ることができ外れ難い。
更に、義歯４の磁石４２と磁性体１１とを密着させることができるので、義歯４と磁性アバットメント１の間に汚れやゴミも溜まり難い。
【００４２】
磁性アバットメント１では、アバットメント本体１０をＣＡＤ／ＣＡＭシステムを使用することにより製造するので、アバットメント本体１０が短時間でかつ簡単に製造できる。
【００４３】
なお、本実施の形態では、印象型を従来からある石膏型により採取する方法を用いたが、これは特に限定するものではなく、例えば、特殊なカメラで患者の口腔内を様々な角度から撮影し、直接的にＣＡＤ／ＣＡＭシステムに口腔内のデータが入力されるようにして、コンピュータのディスプレイ上に印象型を表すシステムを使用することもできる。
【００４４】
また、本実施の形態では、印象型に対しロウを盛り上げてロウ型を形成することで患者毎に適したアバットメント形状をつくり上げるようにしたが、これも限定するものではない。例えば、既に上記したカメラによってデータが入力されている場合では、そのままコンピュータ上でつくり上げることもできるし、石膏型を形成した場合でも、レーザーを使って石膏型の形状を計測し、データをＣＡＤ／ＣＡＭシステムに入力してコンピュータ上でつくり上げることもできる。
【００４５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４６】
【図１】本発明に係る磁性アバットメントの一実施の形態を示しており、インプラントに取り付ける状態を示す分解斜視説明図。
【図２】図１に示す磁性アバットメントを下顎に埋設されたインプラントに取り付けた状態を示す使用状態説明図。
【図３】図２に示す磁性アバットメントに義歯を磁石によって取り付ける状態を示す分解説明図。
【図４】従来のアバットメントを下顎に埋設されたインプラントに取り付けた状態を示す使用状態説明図。
【符号の説明】
【００４７】
１  磁性アバットメント
１０  アバットメント本体
１００  角部
１０１  平面
１０２  嵌合凹部
１０３  固定ボルト係合孔
１０４  固定ボルト挿通孔
１０５  係合凹部
１１  磁性体
１２  接着剤
２  インプラント
２０  係合凸部
２１  固定ボルト螺合孔
３  固定ボルト
３０  頭部
３１  ネジ部
４  義歯
４０  歯肉部
４１  嵌合凹部
４２  磁石
５０  骨
５００  埋設穴
５１  歯肉
８  インプラント
９  アバットメント
９０  ポケット
９１  磁性体
【図１】
2007075532.tif 000003
【図２】
2007075532.tif 000004
【図３】
2007075532.tif 000005
【図４】
2007075532.tif 000006